(57)【要約】【課題】  オイルフィルターのフィルターケース及びフィルターを含むフィルターエレメントを金属製とし、取付取外自在に組立分解可能に形成することにより、オイルのろ過装置たるオイルフィルターを反復して再使用可能にする。【解決手段】  フィルターケースのケースキャツプとベースカバーとケース本体とフィルター及びフィルターエレメントとが、各々取付取外自在に組立分解可能に設けられ，かつ、これらの全てが金属製としとて、フィルターのろ過機能が低下した場合にはフィルターのみを取外し、目詰まりした油性廃棄物等を除去しフィルターエレメントに取付けることにより反復して再使用する。【選択図】        図１
2005147044.tif 000002
【特許請求の範囲】
【請求項１】
ケースキャップとベースカバーとをケース本体の両端に設けてなるフィルターケースと、該フィルターケース内にフィルターを有するフィルターエレメントを設けてなるオイルフィルターにおいて、
フィルターケースのケースキャツプとベースカバーとケース本体とフィルター及びフィルターエレメントとが、各々取付取外自在に組立分解可能に設けられ，かつ、これらの全てが金属製であることを特徴とするオイルフィルター。
【請求項２】
フィルターエレメントのフィルターが、断面鋸歯状の略波形状に折曲形成されたステンレス製金網であり、かつ、フィルターエレメントに取付取外自在に取付け固定されてなる請求項１のオイルフィルター。
【請求項３】
フィルターケースのケースキャップとベースカバーとケース本体とが、アルミ合金製であり、ケースキャップとベースカバーとがネジによりケース本体の両端に取付取外自在に取付け固定されてなる請求項１、２のオイルフィルター。
【請求項４】
フィルターエレメントが、フィルターケースのベースカバーの内側面にネジにより取付取外自在に取付け固定されてなる請求項１、２、３のオイルフィルター。
【請求項５】
フィルターケースのベースカバーに開口したオイル流出口と同心円に連通した中空管体ボルトを該ベースカバーの内側面に突設し、フィルターエレメントのエレメント端面に開口したオイル流出口と同心円に連通したナットを該フィルターエレメントのエレメント端面に取付け固定し、前記中空管体ボルトを前記ナットのネジ孔に挿脱自在に螺合し、フィルターエレメントをフィルターケースのベースカバーに取付取外自在に取付け固定されてなる請求項１、２、３、４のオイルフィルター。
【請求項６】
フィルターエレメントのフィルターが、複数枚のステンレス製金網を重層してなり該重層したステンレス製金網の網目がフィルターエレメントの外側から内側へ順次小さく形成されてなる請求項１、２、３、４、５のオイルフィルター。
【請求項７】
フィルターケース内に設けたフィルターエレメントのエレメント端面全面に該フィルターエレメントのエレメント端面と略同一形状に形成した平盤状の磁石体を取付取外自在に設けてなる請求項１、２、３、４、５、６のオイルフィルター。
【請求項８】
フィルターエレメントのフィルターが、フィルターに目詰まりしたスラッジやカーボンその他のゴミからなる不純物を除去し清掃することにより、反復して再使用可能に設けてなることを特徴とする請求項１、２、３、４、５、６、７のオイルフィルター。
【発明の詳細な説明】
【技術分野】
【０００１】
本発明は、自動車等の内燃機関において循環供給されるオイルをろ過するオイルフィルターに関し、特に、オイルのろ過によりフィルターに目詰まりした不純物を除去し清掃することにより反復して再使用可能にしたオイルフィルターに関するものである。
【背景技術】
【０００２】
従来の自動車等の内燃機関においては，エンジンを構成する各種パーツの円滑な高速回転や往復運動等の実現のために、オイルを循環して供給することにより、エンジンの磨耗や発熱の防止等を図っているが，かかるオイルはエンジンへの循環供給に伴ってスラッジやカーボンや金属粉末等のゴミからなる不純物を含みながら循環されることになるから、オイルの循環路において、これらの不純物を除去するためのオイルのろ過装置としてのオイルフィルターが配置されている。
このオイルフィルターとしては、従来ろ過機能の低下に伴ってオイルフィルター全体をその都度新規なものに交換して取替える使い捨てタイプのカートリッジ型と、オイルフィルターにおけるオイルを直接にろ過する機能を有するフィルターを紙製フィルターとしてこのフィルターのみを新規なものに交換して取替えるのみで、オイルフィルターはそのまま再使用できるように設けられたフィルターエレメント型とが提供されている。
【０００３】
しかしながら、従来の使い捨てタイプのカートリッジ型のオイルフィルターにおいては、オイルのろ過機能の低下の都度に新規なオイルフィルターに交換しなければならず，このカートリッジ型のオイルフィルターの交換作業には、一定の工具類を用いた作業施設と熟練技術を要し、通常一般の自動車の所有者や運転者がその交換作業を行うには実際上実施できない程度の困難を伴うものであり、さらに交換した後の使用済みのカートリッジ型のオイルフィルターは、多量の油性廃棄物や金属粉末やカーボンやその他の不純物を含むため、そのまま焼却処分すると悪臭や油煙や窒素酸化物その他の各種の公害物質を多量に発生せしめる恐れがあるから、公害防止の法規制により厳格な特殊産業廃棄物処理施設でなければ処理できないという問題があった。
【０００４】
また使用済みのカートリッジ型のオイルフィルターは、紙製や繊維製からなるフィルター部分や金属製やプラスチック製の各種の材質から形成された多くのパーツを含むものであるから、産業廃棄物として処理するには、そのままでは焼却等の処理ができず、従ってカートリッジ型のオイルフィルターは、一旦各構成部材毎に分解した後、更に、分解した構成部材をその材質毎に分類し収集しなければならず、しかも油性廃棄物が強固に付着したカートリッジ型のオイルフィルターを、その各構成部材毎に分解し、かつ、その材質毎に分類し収集するということは、実際上極めて困難な作業であり、このため使用済みのカートリッジ型のオイルフィルターは、産業廃棄物として処理に多大の手間と費用とが掛かるという問題があった。
【０００５】
また紙製フィルターのみを交換することにより再使用が可能なフィルターエレメント型のオイルフィルターにおいては、ろ過機能の低下の都度フィルターのみを交換すれば済むという点において省資源であり優れている面を有するものであるが、密封されたフィルターケース内からフィルターエレメントを取出し、かつ、フィルターエレメントから油性廃棄物が付着した使用済みの紙製フィルターと新規な紙製フィルターとを交換するために、分解組立し再度取付け固定するという作業は、通常一般の自動車の所有者や運転者がその交換作業を行うには実際上実施できない程度の困難を伴うものであり、特殊な作業施設と、工具類を用いた相当の熟練技術を有する専門技術者による作業とを要するという欠点があった。
【０００６】
さらに使用済みのフィルターエレメトから紙製フィルターを除去しても、産業廃棄物として処理するには、単にオイル中からろ過された油性廃棄物のみではなく、多くの金属粉やカーボンやスラッジを含む各種の不純物が渾然一体に混合された状態で紙製フィルターに付着されているため、そのままで通常の油性廃棄物の処理と同様に焼却等の処理をすれば、これらの各種の不純物に起因する各種の有害な物質を生起せしめ環境汚染を惹起する公害物質を生成放出することになるから、この種の使用済み紙製フィルターを処理するためには、紙製フィルターから油性廃棄物を除去して分離収集したのち、一旦油性廃棄物中に渾然一体に混合された各種の不純物を各物質毎に分離収集した後に、収集された物質毎に対応した処理を必要とするため、多大の手間と費用と過大な処理施設とを要するという欠点があった。
【０００７】
また従来のフィルターエレメント型のオイルフィルターにおいては、フィルターケースやフィルターエレメントにおいて、プラスチックや鉄を含む金属製構成部分を有するため反復して再使用しているうちにプラスチックの構成部材が劣化したり鉄を含む金属製構成部材が酸化による錆発生のため、或いは、長期間の使用経過に伴う自動車等の廃車に際して、この種のフィルターエレメント型のオイルフィルターを再使用することは実際上殆んど不可能となり、結局、フィルターエレメント型のオイルフィルターにおいても、オイルフィルター自体を産業廃棄物としての処理を必要とするに至り、その結果、産業廃棄物の処理に際し、カートリッジ型のオイルフィルターと同様の廃棄物処理に伴う公害物質を発生せしめる恐れがるという欠点があった。
【０００８】
また従来のオイルフィルターにおいては、オイルがろ過材のフィルターに形成された微細な小孔や間隙を通過する際に漉し除かれることにより、ろ過されるものであるが、エンジンの回転や往復動等の作動に伴う磨耗等により発生する極めて微細な金属粉末は、この種のカートリッジ型やフィルターエレメント型を問わず、従来のオイルフィルターによってはろ過されず、オイル中に混濁したまま、金属粉末がオイルと共にエンジン内を循環し、エンジンの磨耗劣化を促進するという欠点があった。
【０００９】
これらの改善策としてオイルフィルターのオイル通路に磁石を配置して磁気力により鉄性の金属粉末を吸着し除去する方法が提案されているが、この方法による場合には、紙製フィルターのろ過紙芯によりオイルをろ過した後、ろ過済みのオイルに混濁した金属粉末をオイル出口に設けた磁石により吸着し除去するものであるから、紙製フィルターのろ過紙芯によりオイルをろ過される油性廃棄物中にも多量の金属粉末が混合されることになり、しかも紙製フィルターのろ過紙芯によりオイルのろ過機能が低下したときは、その都度紙製フィルターのろ過紙芯は、新規なものに交換する必要があるため、使用済み紙製フィルターたるろ過紙芯を、産業廃棄物として処理するには、単にオイル中からろ過された油性廃棄物のみではなく、多くの金属粉末やカーボンやスラッジを含む各種の不純物が渾然一体に混合された状態で紙製フィルターたるろ過紙芯に付着されているため、そのままで通常の油性廃棄物の処理と同様に焼却等の処理をすれば、これらの各種の不純物に起因する各種の有害な物質を生起せしめ環境汚染を惹起する公害物質を生成放出することになるから、この種の使用済み紙製フィルターを処理するためには、紙製フィルターたるろ過紙芯から油性廃棄物を除去して分離収集したのち、一旦油性廃棄物中に渾然一体に混合された各種の不純物には、金属粉末その他を含み各物質毎に分離収集した後に、収集された物質毎に対応した処理を必要とし、多大の手間と費用と、過大な処理施設とを要するという欠点があった。
【００１０】
さらにオイルフィルターのフィルターを多孔質金属体をもって形成したものが提案されているが，この種の多孔質金属体をもってオイルフィルターのフィルターを形成したものにおいては，有孔金属体たるスケルトンの製造が極めて複雑で過大な製造施設と複雑な製造工程とが必要となり、しかも、スケルトンの発泡・脱脂・燒結により形成される気孔の大きさが一定でなく，その複雑な製造工程から必然的に高価となり、この多孔質金属体からなるオイルフィルターのフィルターは、スケルトンという複雑な構造と１．５ｍｍという肉厚から大きな強度は期待できず、オイルろ過に伴い目詰まりし強固に付着した油性廃棄物を無理に除去し清掃すれば、スケルトンの多孔質金属体からなるフィルター自体が破損されてしまい反復した再使用はできないという欠点があった。
【特許文献１】特開平８−３３２３１２号公報
【特許文献２】特開２００１−２８６７０９号公報
【発明の開示】
【発明が解決しようとする課題】
【００１１】
解決しようとする問題点は，オイル中からろ過された不純物がフィルターに強固に付着してしまい、フィルターから容易に除去し清掃することができず、フィルターをそのまま再使用することができないという点と、使用済みのオイルフィルターを廃棄処分すると環境汚染を惹起する公害物質の発生を防止することができないという点である。
【００１２】
本発明は従来技術における課題を、
オイル中からろ過された不純物がフイルターに強固に付着していてもフィルターから容易に除去し清掃することができて、フィルターをそのまま再使用することができるオイルフィルターであって、オイルからろ過されてフィルターから分離収集された油性廃棄物の処理が、環境汚染を惹起する恐れのある公害物質を全く発生することなく、処理することを可能としたオイルフィルターを提供することである。
【課題を解決するための手段】
【００１３】
上記課題を解決するため、本願発明は、
オイルフィルターがオイルのろ過によりろ過機能が低下した場合に、オイルフィルターのフィルターに目詰まりした油性廃棄物や不純物を容易に除去して清掃することにより、反復して再使用を可能とするために、オイルフィルターのフィルターケースのケースキャツプとベースカバーとケース本体とフィルター及びフィルターエレメントとが、各々取付取外自在に組立分解可能に設けられ，かつ、これらの全てが金属製であることを特徴としている。
【００１４】
請求項１記載の発明によれば、
オイルフィルターがオイルのろ過によりろ過機能が低下した場合に、オイルフィルターのフィルターケースのケースキャツプとベースカバーとケース本体とフィルター及びフィルターエレメントとが、各々取付取外自在に組立分解可能に設けられ，かつ、これらの全てが金属製であるから、フィルターのみを取出して、フィルターから目詰まりした油性廃棄物や不純物を除去して清掃し、フィルターのろ過機能を回復したら再度組み立てて取付け固定することにより、反復して再使用が可能となり、しかも、フィルターが金属製であるから，フィルターに目詰まりした油性廃棄物や不純物を除去して清掃することにより、容易にフィルターのろ過機能を回復し再使用が可能となり，しかも、フィルターが金属製であるから，フィルターに目詰まりし付着した油性老廃物や不純物質等と一緒にフィルター全体を洗浄液中に浸漬したまま、洗浄すれば容易にフィルターに目詰まりした油性廃棄物や不純物を除去して清掃することができると共に，洗浄液中に剥離した油性廃棄物や不純物は、従来のろ過装置により容易に分離して収集することもでき、しかも焼却することなくすなわち全く公害物質の発生を抑制しながら回収されたオイル中からろ過された油性廃棄物や不純物の処理が可能となる。
【００１５】
したがって、本発明のオイルフィルターによりフィルターの反復した再使用とフィルターにより、オイル中からろ過され回収された油性廃棄物や不純物を、全く公害物質の発生を抑制しながらの処理が容易に実現できる。
【００１６】
また、本発明のオイルフィルターは請求項２に記載するように、請求項１記載のフィルターエレメトのフィルターは、フィルターエレメトのフィルターが、断面鋸歯状の略波形状に折曲形成されたステンレス製金網であり、前記フィルターエレメトに取付取外自在に取付け固定されてなることを特徴とするものである。
【００１７】
請求項２記載の発明によれば、
フィルターが、断面鋸歯状の略波形状に折曲形成されたステンレス製金網であるから、フィルターによるろ過面積が大きくなり、その分オイルのろ過効果が高くなり，しかも、フィルターが、ステンレス製金網であるから強靭であり防錆効果も高く鉄性の金属粉末が付着したり、万一オイル中に酸性化物や水分が含まれいても錆発生を防止できる為フィルターの反復した再使用が実現できる。
【００１８】
本発明のオイルフィルターは請求項３に記載するように、
フィルターケースのケースキャップとベースカバーとケース本体とが、アルミ合金製であり、ケースキャップとベースカバーとがネジによりケース本体の両端に取付取外自在に取付け固定されてなることを特徴とするものである。
【００１９】
請求項３記載の発明によれば、
フィルターケースのケースキャップとベースカバーとケース本体とが、アルミ合金製であり、ケースキャップとベースカバーとがネジによりケース本体の両端に取付取外自在に取付け固定されているから、オイルのろ過機能が低下した場合にフィルターエレメントをフィルターケースから取出す場合には、単に、ネジによりケース本体の両端に取付取外自在に取付け固定されているケースキャップとベースカバーとを回旋するのみで容易に取り外すことができ、しかも、フィルターケースのケースキャップとベースカバーとケース本体とが、アルミ合金製であるら、その重量も軽量化でき防錆効果も高くフィルターケースの反復した再使用や、長期間の使用による自動車等の廃車によってもフィルターケースの回収による再使用が実現できる。
【００２０】
本発明のオイルフィルターは請求項４に記載するように、、
フィルターエレメントが、フィルターケースのベースカバーの内側面にネジにより取付取外自在に取付け固定されてなることを特徴とするものである。
【００２１】
請求項４記載の発明によれば、
フィルターエレメントが、フィルターケースのベースカバーの内側面にネジにより取付取外自在に取付け固定されているから、オイルのろ過機能が低下した場合にフィルターエレメントをフィルターケースから取出す場合には、単に、フィルターケースのベースカバーの内側面にネジにより取付取外自在に取付け固定されているフィルターエレメントをベースカバーと一緒にフィルターケースから取り外せば、フィルターエレメントの取出しが容易であり、また、ベースカバーからフィルターエレメントの取り外しもフィルターエレメントを旋回してネジを緩めるのみで簡単に取り外し、かつ、取付取外自在に取付け固定が実現できる。
【００２２】
本発明のオイルフィルターは請求項５に記載するように、
フィルターケースのベースカバーの内側面に開口したオイル流出口と同心円に連通した中空管体ボルトを該ベースカバーの内側面に突設し、フィルターエレメントのエレメント端面に開口したオイル流出口と同心円に連通したナットを該フィルターエレメントのエレメント端面に取付け固定し、前記中空管体ボルトを前記ナットのネジ孔に挿脱自在に螺合し、フィルターエレメントをフィルターケースのベースカバーに取付取外自在に取付け固定されてなることを特徴とするものである。
【００２３】
請求項５記載の発明によれば、
フィルターケースのベースカバーの内側面に開口したオイル流出口と同心円に連通した中空管体ボルトを該ベースカバーの内側面に突設し、フィルターエレメントの端面に開口したオイル流出口と同心円に連通したナットを該フィルターエレメントの端面に取付け固定し、前記中空管体ボルトを前記ナットのネジ穴に挿脱自在に螺合し、フィルターエレメントをフィルターケースのベースカバーに取付取外自在に取付け固定されてなるものであるから、フィルターエレメントのフィルターケース内への取付固定が、ベースカバーの内側面に突設した中空管体ボルトを、フィルターエレメントのエレメント端面に設けたナットに螺合するのみであるから、フィルターエレメントのフィルターケース内への取付固定が、格別の工具類を用いることなく簡単に取付取外自在に取付け固定することが実現できる。
【００２４】
本発明のオィルフィルターは請求項６に記載するように、
フィルターエレメントのフィルターが、複数枚のステンレス製金網を重層してなり該重層したステンレス製金網の網目がフィルターエレメントの外側から内側へ順次小さく形成されてなることを特徴とするものである。
【００２５】
請求項６記載の発明によれば、
フィルターエレメントのフィルターが、複数枚のステンレス製金網を重層してなり該重層したステンレス製金網の網目がフィルターエレメントの外側から内側へ順次小さく形成されているから、フィルターのステンレス製金網の網目をフィルターエレメントの外側から内側へ順次に小さく形成することにより、オイルに混濁されたカーボンやスラッジその他の不純物の粒径の大小に対応してろ過機能を高めることができる。
【００２６】
本発明のオイルフィルターは請求項７に記載するように、
フィルターケース内に設けたフィルターエレメントのエレメント端面に該エレメント端面と略同一形状に形成した平盤状の磁石体を取付取外自在に設けてなることを特徴とするものである。
【００２７】
請求項７記載の発明によれば、
フィルターケース内に設けたフィルターレメントのエレメント端面に該エレメント端面と略同一形状に形成した平盤状の磁石体を取付取外自在に設けてなるものであるから、エンジンの回転や往復動に伴い磨耗等により発生しオイル中に混濁した金属粉末も、フィルターエレメント内においてオイルの流速が最も低下してエレメント端面を滑り落ちるようにして通過するオイルの循環路において、フィルターエレメントのエレメント端面に設けた磁石体の磁気により吸着除去することができるので，オイル中に金属粉末が混濁してエンジン中を循環することによるエンジン等の劣化を発生せしめるという恐れがない。
【００２８】
本発明のオイルフィルターは請求項８に記載するように、
フィルターエレメントが、フィルターに目詰まりしたスラッジやカーボンその他のゴミからなる不純物を清掃除去し、反復して再使用可能に設けてなることを特徴とするものでる。
【００２９】
請求項８記載の発明によれば、
フィルターエレメントが、フィルターに目詰まりしたスラッジやカーボンその他のゴミからなる不純物を清掃除去し、反復して再使用可能に設けてなるものであるから、フィルターそのものは、ろ過機能が低下しても破棄して新規なフィルターに交換することなくそのまま再使用できるものであるから、省資源化に貢献でき、かつ、一旦使用したフィルターもそのまま産業廃棄物として廃棄するものではなく、しかも長期間使用による自動車等の廃車による場合にも、オイルフィルターは再度使用できるから、使用済みのオイルフィルターの廃棄による公害汚染の発生を防止できる。
【発明の効果】
【００３０】
本発明のオイルフィルターは、自動車等の内燃機関のエンジンのオイルのろ過を行うオイルフィルターとして反復して再使用でき、しかも使用済みのオイルフィルターを産業廃棄物として廃棄することなく再生してそのまま反復して再度使用するものであるから、全く環境公害を発生しないオイルフィルターとして実施できるという利点がある。
【００３１】
本発明のオイルフィルターは、フィルターエレメントのフィルターをステンレス製金網としたから，フィルターのろ過機能が低下した場合には，フィルターから目詰まりしたスラッジやカーボン等の不純物を除去し清掃することにより反復して再使用ができると共に，オイルフィルターの各構成部材を取付取外自在に組立分割可能に設けたから，オイルフィルターの反復した再使用が可能となる利点がある。
【００３２】
また本発明のオイルフィルターは、主要な構成部材の全てを金属製とし取付取外自在に組立分割可能に設けたから、オイルフィルターのろ過機能が低下しても産業廃棄物として廃棄処分にすることなく，取り外したフィルターのみを洗浄液等に浸漬したり高温水蒸気を吹き付ける等の方法により、フィルターに目詰まりして付着した油性廃棄物やスラッジやカーボン等の不純物を簡単に、除去することができ使用済みのフィルターを廃棄物として捨てるとなく再生して使用することができるという利点がある。
【発明を実施するための最良の形態】
【００３３】
以下、図を参照して本発明を実施するための最良の形態を説明する。
図１〜図７は本発明のオイルフィルター１の一実施例を示す図である。
【実施例１】
【００３４】
図１は、本発明のオイルフィルターの１実施例を示す断面図であって、図２は本発明のオイルフィルターの組立状態を示す分解した斜視図であり，図３は、フィルターエレメントの一部断面斜視図であり、図４は、フィルターエレメントの要部の斜視図であり、図５，図６は、オイルフィルターの要部の斜視図であり、図７は本発明のオイルフィルターによるろ過されるオイルの流れを示すオイルろ過の実施状態を説明する斜視図である。
【００３５】
本発明のオイルフィルター１は，図１及び図２に示す如く中空筒状体のケース本体３と該ケース本体３の上下両端に取付取外自在に取付け固定された略円盤状のケースキャップ４とベースカバー５とからなるフィルターケース２の内部において、前記ベースカバー５の内側面に取付取外自在に取付け固定されたフィルターエレメント６とからなる。
【００３６】
フィルターエレメント６は、ステンレス製金網を断面略鋸歯状の略波形状に折曲形成し、全体を略円筒状に曲成したフィルター７と、２枚のステンレス製金属円板体のエレメント端面２０、２１を、該フィルター７に上下方向から両端に嵌合して取付取外自在に取付け固定してなるものであり、該エレメント端面２１の略中心部方向には、略円筒状に曲成したフィルター７と連通したオイル流出口２２の透孔が穿孔され、該エレメント端面２０、２１との間に挟持して、全周面に小孔を穿孔してなるステンレス製金属板により中空筒状体に曲成したフィルター保持筒２４が一体に取付け固定されている。
このフィルター保持筒２４は、その一端方向をエレメント端面２１に穿孔したオイル流出口２２内に連通して取付けられ、かつ、エレメント端面２０、２１との間に挟持され取付け固定されたフィルター保持筒２４には、フィルターエレメント６のフィルター７が、外方から該フィルター保持筒２４を包み込むようにして筒状に取付取外自在に取付け固定されている。
【００３７】
フィルターエレメント６のエレメント端面２１のオイル流出口２２には、同心円に連通したネジ孔１９を有するナット９が、該エレメント端面２１に突設されなり、フィルターエレメント６のエレメント端面２０には、その外周縁２５を凸設して、該エレメント端面２０に嵌合凹部２６を形成し，該嵌合凹部２６と略同一形状に形成した円盤状の磁石盤８を前記エレメント端面２０の嵌合凹部２６に取付取外自在に取付け固定されている。
【００３８】
このようにフィルターエレメント６におけるフィルター７が、ステンレス製金網の断面鋸歯状の略波形状に折曲形成し全体を略円筒状に曲成しているから、長期間に渡るオイルのろ過により、フィルター７の網目にスラッジやカーボンその他のゴミ等からなる不純物が油性廃棄物に混濁し目詰まりしてオイルのろ過機能が低下した場合に、フィルター７のみをフィルターエレメント６から取り外し、洗浄液により浸漬したり高温の水蒸気を吹き付けたり或いはブラッシング等の適宜な方法により、目詰まりして強固に付着したスラッジやカーボンその他のゴミ等からなる不純物が混濁した油性廃棄物を除去し清掃することにより、フィルターエレメト６のフィルター７として反復して半永久的に再使用可能となるから、フィルター７を廃棄する必要が全く無く、従って，全く公害の発生の恐れのなオイルフィルター１の再生使用が可能となり、さらにフィルターエレメント６のエレメント端面２０には、磁石盤８を設けているため金属粉末は磁気により吸着されてオイル中ら除去れるから、フィルター７の清掃により回収されたオイルの油性廃棄物中には金属粉末が含まれいないため、そのまま焼却する等の油性廃棄物にたいする適宜な廃棄処分方法を選択して適用できるという効果がある。
【００３９】
磁石盤８は、その中心に小孔のネジ孔を穿孔し、フィルターエレメント６のエレメント端面２０の中心にボルトを突設しておき、磁石盤８のネジ孔にエレメント端面２０のに突接したボルトを螺合すれば、磁石盤８が、フィルターエレメント６のエレメント端面２０に形成した嵌合凹部２６に、より強固にかつ簡単に取付取外自在に取付け固定することができる。
また、磁石盤８のネジ孔に代えて透孔を穿孔し、フィルターエレメント６のエレメント端面２０の中心に立設したボルトを該磁石盤８の透孔にボルトを挿通してナットにより締め付けることによっても、磁石盤８を、ボルトとナットによりエレメント端面２０に、強固にかつ簡単に取付取外自在に取付け固定することができる。
【００４０】
フィルターエレメント６におけるフィルター７は、オイルしての効果に支障がない程度の粒径の物質のみしか通過できない程度にステンレス製金網の網目の大きさに形成してくものであり、例えば網目の大きさとしては３０ミクロンから３００ミクロン程度の粒径の範囲の粒子が通過可能な網目の大きさに形成し、さらに、フィルター７のステンレス製金網は、１枚であっても良いが、さらにろ過機能を高めるために複数枚のステンレス製金網を重ね合わせ、かつ、フィルター７の網目の大きさをフィルターエレメント６の外側から内側へ向かって順次に小さく形成しておけば，オイルのろ過機能も一層向上するという効果がある。
【００４１】
フィルター７は、フィルターエレメント６のエレメント端面２０、２１に挟持され取付け固定された小孔を穿孔してなるフィルター保持筒２４を包み込むようにして筒状体に曲成しながら巻装して取付取外自在に取付け固定されているから、フィルター７をフィルター保持筒２４から引き剥がし或いは包み込むようにように取付けたり取外したりすれば，フィルター７のフィルターエレメント６への取付取外が容易に可能であり、さらに、必要に応じて、このフィルター保持筒２４を設けないで、ステンレス製金網のフィルター７を筒状に曲成してステンレス製金属リング内に挿入し、その両端方向からエレメント端面２０、２１を嵌合して挟持し取付取外自在に取付け固定することができる。
このようにフィルターエレメント６のフィルター７を形成すれば，その分フィルターエレメント６の構造が簡素化でき取り扱いが容易になるいう効果がある。
【００４２】
フィルターエレメント６は、フィルターケース２のベースカバー５の内側面に突設した中空管体ボルト１０をエレメント端面２１に突設したナット９のネジ孔１９に螺合することにより取付取外自在に取付け固定されている。
しかもベースカバー５は、フィルターケース２のケース本体３の端部においてケースキャップ４と共に各々ネジ１１とネジ１３と、ネジ１２とネジ１４とが螺合してネジ止めされいるから、ネジ止めしたベースカバー５を旋回してフィルターケース２から取り外すことにより、ベースカバー５に取付け固定されたフィルターエレメント６を外部へ容易に取出すことができるという効果がある。
【００４３】
フィルターケース２の中空筒状体に形成したケース本体３の端部に取付取外自在に取付け固定された円盤状体のケースキャップ４とベースカバー５とは、ケース本体３と共に軽量で強靭なアルミ合金製であり、かつ、ケース本体３の端部にネジ止めされているから、その取付け取外しが容易であり，防錆効果も高く反復した再使用が可能なるいう効果がある。
【００４４】
ケース本体３の両端へのケースキャップ４とベースカバー５とのネジ止めによる取付け固定の際には、そのより気密性を高める為にケースキャップ４の内側の端面方向及びベースカバー５の内側の端面方向には、図２に示す如くゴム製のリングパッケージ１５とリングパッケージ１６とを介在して強固にネジ止めして、その気密性を高めておくものである。
フィルターケース２のケース本体３の外周面にはスベリ止めリブ２７が刻設されているから、フィルターケース２の取付け取外しが容易であるという効果がある。
【００４５】
図７においてエンジンから送油されたろ過前のオイル３２は、油送受管３１により油送受管取付ネジ２９により一体に取付けられた本発明のオイルフィルターへ送油され、このろ過前のオイル３２は、該オイルフィルター１内のフィルターエレメント６内へ直接には油送されることなく、ベースカバー５に穿孔されたオイル通孔２８からオイルフィルター１のフィルターケース２内へ送油され、オイルに含まれた鉄性の金属粉末は、フィルターエレメント６のエレメント端面２０に設けた磁石盤８により吸着され除去されながら、フィルター７によりオイルに含まれ混濁されたスラッジやカーボンその他の不純物はろ過されて、フィルター７によりろ過されたオイルは，フィルターエレメント６内に油送され、該フィルターエレメント６内のオイル流出口２２から、油送受管３１へ還流して再度エンジンへ循環して送油されるものである。
【産業上の利用可能性】
【００４６】
フィルターエレメント６のフィルター７を、ステンレス製金網としフィルターケース２のケース本体３とケースキャップ４、ベースカバー５、フィルターエレメント６とを金属製としたから、自動車のみでなく、あらゆる内燃機関のオイルフィルターとして反復して再使用能なあらゆる分野における環境汚染を発生させる恐れのないオイルフィルターとして利用できるものである。
【００４７】
さらに本発明は、ろ過機能を発揮するフィルターエレメントのフィルターがステンレス製金網としているため、ガソリンや軽油等によっても紙製フィルターの如く溶融する恐れが全くないため、軽油を燃料としたディーゼルエンジンのトラックの貨物自動車その他のあらゆる内燃機関における燃料油のろ過装置として利用できるものである。
【図面の簡単な説明】
【００４８】
【図１】本発明を適用した実施例１におけるオイルフィルターの一部断面の正面図である。
【図２】図１のオイルフィルターの分解した状態を示す斜視図である。
【図３】フィルターエレメントの一部切欠きの斜視図である。
【図４】フィルターエレメントのエレメント端面及び磁石盤の斜視図である。
【図５】フィルターケースのケースキャップの平面図である。
【図６】フィルターケースのベースカバーの底面図である。
【図７】本発明を適用した実施例１におけるオイルフィルターによりオイルをろ過する状態を示す説明図である。
【符号の説明】
【００４９】
１      オイルフィルター
２      フィルターケース
３      ケース本体
４      ケースキャツプ
５      ベースカバー
６      フィルターエレメント
７      フィルター
８      磁石盤
９      ナット
１０    中空管体ボルト
１１    ネジ
１２    ネジ
１３    ネジ
１４    ネジ
１５    リングパッケージ
１６    リングパッケージ
１７    ネジ
１８    ネジ
１９    ネジ孔
２０    エレメント端面
２１    エレメント端面
２２    オイル流出口
２３    小孔
２４    フィルター保持筒
２５    外周縁
２６    嵌合凹部
２７    スベリ止めリブ
２８    オイル通孔
２９    油送受管取付ネジ
３０    リングパッケージ
３１    油送受管
３２    ろ過前のオイル
３３    ろ過済みのオイル
【図１】
2005147044.tif 000003
【図２】
2005147044.tif 000004
【図３】
2005147044.tif 000005
【図４】
2005147044.tif 000006
【図５】
2005147044.tif 000007
【図６】
2005147044.tif 000008
【図７】
2005147044.tif 000009